(57)【要約】【課題】  移行栓体の底壁に付いた内容物が、流れ落ちてキャップ内部を汚すことがなく、また、キャップ再セット時に、注出筒から外部に溢れて汚すことがない抜栓キャップを提供すること。【解決手段】  容器本体の口部に装着され、注出口を形成して内容物を案内する注出筒を有する中栓と、該中栓に開閉可能に装着されるキャップとからなり、中栓は、注出筒の内側に連結して注出口を密閉するとともに、キャップの開蓋時に中栓との連結が外れて、中栓側からキャップ側に移行する移行栓体を備え、キャップは、頂壁と、頂壁から垂下し、移行栓体と係合する係着部とを備え、移行栓体は、キャップの係着部と係合する係合部と、側面部と、底壁とを備え、底壁は、下面が突部形状であることを特徴とする。【選択図】  図１
2018002224.tif 000002
【特許請求の範囲】
【請求項１】
容器本体の口部に装着され、注出口を形成して内容物を案内する注出筒を有する中栓と、該中栓に開閉可能に装着されるキャップとからなり、
中栓は、注出筒の内側に連結して注出口を密閉するとともに、キャップの開蓋時に中栓との連結が外れて、中栓側からキャップ側に移行する移行栓体を備え、
キャップは、頂壁と、頂壁から垂下し、移行栓体と係合する係着部とを備え、
移行栓体は、キャップの係着部と係合する係合部と、側面部と、底壁とを備え、
底壁は、下面が突部形状であることを特徴とする抜栓キャップ。
【請求項２】
底壁の突部形状は、周縁から中心に向けて垂下する逆円錐形状であることを特徴とする請求項１記載の抜栓キャップ。
【請求項３】
底壁の突部形状は、周縁から中心に向けて膨出するドーム形状であることを特徴とする請求項１記載の抜栓キャップ。
【請求項４】
中栓は、注出筒の下部外周面にねじ壁部を備え、注出筒の内周面に薄肉弱化部を介して移行栓体と連結し、
移行栓体の係合部は、内周に第１係合突部と外周に第１歯部を設け、
キャップは、外周に第１係合突部に係合可能な第２係合突部を形成する係着部と、係着部の外側に配設され、内周に第２歯部を設けた係合筒部と、さらに係合筒部の外側に配設されるねじ筒部とを備え、
第１歯部と第２歯部は、キャップを螺脱させるときのみ当接係合するラチェット機構を構成することを特徴とする請求項１〜３のいずれかに記載の抜栓キャップ。
【発明の詳細な説明】
【技術分野】
【０００１】
本発明は、中栓からキャップに移行する移行栓体を有する抜栓キャップに関し、とくに内容物が付着しにくい形状の底壁を有する移行栓体を備えた抜栓キャップに関するものである。
【背景技術】
【０００２】
従来、ドレッシングや調味料などを収容する食品容器には、開封時まで容器内を密封状態にしておくために、容器口部に装着された中栓に、弱化部により画成された除去壁部を形成した隔壁を設け、除去壁部に設けられたプルリングを引き上げて該除去壁部を引きちぎって注出口を開栓する抜栓キャップが広く用いられている。
【０００３】
しかしながら、プルリングを引き上げて弱化部を破断するには比較的大きな力が必要であり、指先の力が弱い子供やお年寄りには開封が困難なことがあるため、プルリングによる開栓ではなく、オーバーキャップの螺合部の回転動作によって開栓することができるキャップが従来から知られている（例えば、特許文献１参照）。
【先行技術文献】
【特許文献】
【０００４】
【特許文献１】特開２０１１−２２５２２０号公報
【発明の概要】
【発明が解決しようとする課題】
【０００５】
上記特許文献１記載のキャップ１は、オーバーキャップ３の螺合部を締め込むことによって分離部４を本体部２０から切り離して開栓し、開栓後は、分離部４がオーバーキャップ３に保持され、開口部を密閉する内側シール栓として機能するものである。
しかしながら、移行栓体である分離部の下面は筒状部が左右に２つ存在するのみであり、左右の筒状部の間に、内容物が付着し、開栓時に内容物が、筒状部を伝って流れ落ちてキャップ内外を汚してしまうという問題があった。特に内容物が分離状態のドレッシング材料の場合、容器をよく振ってから開栓するために、移行栓体の下面全体に内容物が多量に付着しやすく、開栓時のみでなく、キャップを閉栓する際にも、注出筒に付着した内容物が溢れてキャップ内外を汚してしまうという問題があった。
【０００６】
本発明は、上記問題を解決することを課題とし、中栓からキャップに移行する移行栓体を有する抜栓キャップにおいて、移行栓体の下面を固形物等が付着しにくく、内容物（内容液）を容易に容器内へ回収することができる形状とすることによって、開栓時に移行栓体から内容物（内容液）が垂れ落ちる量を低減し、キャップの内外を汚すことがなく、また、閉栓時に注出筒内に付着した内容物を掻き落とすことによって、キャップ内外を汚すことのない抜栓キャップを提供することを目的とする。
【課題を解決するための手段】
【０００７】
本発明は、上記の課題を解決するため、抜栓キャップとして、容器本体の口部に装着され、注出口を形成して内容物を案内する注出筒を有する中栓と、該中栓に開閉可能に装着されるキャップとからなり、中栓は、注出筒の内側に連結して注出口を密閉するとともに、キャップの開蓋時に中栓との連結が外れて、中栓側からキャップ側に移行する移行栓体を備え、キャップは、頂壁と、頂壁から垂下し、移行栓体と係合する係着部とを備え、移行栓体は、キャップの係着部と係合する係合部と、側面部と、底壁とを備え、底壁は、下面が突部形状であることを特徴とする構成を採用する。
【０００８】
抜栓キャップの実施形態として、底壁の突部形状は、周縁から中心に向けて垂下する逆円錐形状であることを特徴とする構成を採用し、また、底壁の突部形状は、周縁から中心に向けて膨出するドーム形状であることを特徴とする構成を採用する。
【０００９】
抜栓キャップのさらなる実施形態として、中栓は、注出筒の下部外周面にねじ壁部を備え、注出筒の内周面に薄肉弱化部を介して移行栓体と連結し、移行栓体の係合部は、内周に第１係合突部と外周に第１歯部を設け、キャップは、外周に第１係合突部に係合可能な第２係合突部を形成する係着部と、係着部の外側に配設され、内周に第２歯部を設けた係合筒部と、さらに係合筒部の外側に配設されるねじ筒部とを備え、第１歯部と第２歯部は、キャップを螺脱させるときのみ当接係合するラチェット機構を構成することを特徴とする構成を採用する。
【発明の効果】
【００１０】
本発明の抜栓キャップは、移行栓体の下面を固形物等が付着しにくく、内容物（内容液）を容易に容器内へ回収することによって、開栓時に、移行栓体から内容物（内容液）が垂れ落ちる量を低減し、キャップ内外を汚すことがなく、また、閉栓時に、移行栓体の側面部によって、注出筒に付着した内容物を掻き落とすことができるため、キャップ内外を汚すことなく、清潔に使用することができる。
また、突部形状の底壁は、キャップを閉じる際の案内部材としての役割を果たすことができる。
【００１１】
さらに、ラチェット機構を用いることによって、キャップを螺着方向に回動したときには、容易にねじを締め込むことができ、また、キャップを螺脱方向に回動したときには、薄肉弱化部を切断することによって確実に開栓して、密封時の作業性、開封時の操作性を高めることができるとともに不用意な開栓を防ぐことができる。
【図面の簡単な説明】
【００１２】
【図１】抜栓キャップの第１実施例におけるキャップと中栓を組み立てた直後のセット状態を示す図であり、（ａ）は正面断面図、（ｂ）は図（ａ）のＥ−Ｅ線における断面矢視図である。
【図２】第１実施例の抜栓キャップの下面図である。
【図３】第１実施例の抜栓キャップのラチェット動作を説明するために図１（ｂ）に相当するＥ−Ｅ断面矢視図を示した図であり、（ａ）はキャップを中栓に締め込む際の動作、（ｂ）はキャップを螺脱して開栓する際の動作、（ｃ）は図（ｂ）における要部拡大図を示す。
【図４】抜栓キャップの第２実施例におけるキャップと中栓を組み立てた直後の状態を示す正面断面図である。
【発明を実施するための形態】
【００１３】
次に、本発明の抜栓キャップについて、実施例を示した図面を参照して説明する。
【実施例１】
【００１４】
図１（ａ）、図４において、Ａは容器本体、Ｂは容器本体Ａに装着される中栓、Ｃは中栓Ｂに螺合して装着されるキャップである。
なお、以下の説明において、図１（ａ）でみて、上方向を「上」とし、下方向を「下」とする。
【００１５】
図１（ａ）に示すように、容器本体Ａの口部１は、中栓Ｂに嵌着して抜け止め保持する係止突条２を備えている。
中栓Ｂは、外周側の外筒５、内周側の内筒６、口部１の天面側に位置する上壁７とからなり、口部１が嵌入する環状溝を形成する嵌合筒部４と、上壁７に連設して立設されたねじ壁部８と、ねじ壁部８の上端に段部９を介して連設された注出筒１０とからなっている。
【００１６】
注出筒１０の内周面には、全周にわたって形成された薄肉弱化部１１を介して移行栓体１２が一体に連設されている。
移行栓体１２は、円柱状の側面部１８を有し、上部に円筒状の係合部１３が立設され、下部は底壁１９が薄肉弱化部１１とともに注出口を密閉している。
底壁１９は、例えば、具材等の固形物の付着がしにくく、また付着した内容物（内容液）を容器内に回収しやすい突部形状をしており、本実施例では、周縁から中心に向けて垂下する逆円錐形状である。
【００１７】
図１、図３に示すように、係合部１３は、外周にラチェット機構の一方の第１歯部１４が周方向６個所に突設され、内周上部には第１係合突部１５が環状に突設されている。
第１歯部１４は、後述するキャップＣの第２歯部３６と係合する略径方向に形成された第１係合面１６と、その周方向反対側に形成され筒状壁外周面から螺着方向に傾斜した非係合面１７とを有し、その平面視形状は、筒状壁外周面側を底辺とする略台形状をなしている。
実施例１の第１歯部１４における平面視台形の底辺と上辺に相当する辺は、正確には円弧状であり、ここで言う本発明における略台形状とはこのような場合を含む。
なお、第１歯部１４は、略径方向に形成された第１係合面１６と傾斜した非係合面１７とを有していれば、平面視が略台形状ではなく、略直角三角形状でもよい。
また、本実施例では第１歯部１４は周方向６個所に設けているが、６個所に限らず栓体の形状等に合わせて複数の適宜個所に設けることができる。
【００１８】
なお、本実施例では、底壁１９の突部形状は、逆円錐形状であるが、固形物等の付着がしにくく、内容物（内容液）の回収が容易な形状であればどのような形状のものでもよい。
【００１９】
ねじ壁部８は、外周面に雄ねじ２０が設けられ、内周面に上部を軸方向に延びる補強リブ２１が複数突設されている。
嵌合筒部４は、上壁７が内周縁でねじ壁部８の下部で連設し、上壁７の下部には外筒５と内筒６が垂設されている。
上壁７の上面には、周方向複数個所にストッパー２２が設けられている。
【００２０】
キャップＣは、頂壁３０と、頂壁３０の外周縁から垂設された外周壁３１とを有している。
頂壁３０の内面には、中央付近に垂設された係着部３２から外側へ順に、係合筒部３３、ねじ筒部３４が垂設されている。
【００２１】
係着部３２には、中栓Ｂの第１係合突部１５を乗り越えて係合部１３の内周面に緊密に嵌合する環状の第２係合突部３５が先端外周に形成されている。
係合筒部３３の内周には、中栓Ｂの移行栓体１２の第１歯部１４に係合する第２歯部３６が第１歯部１４と同数の周方向６個所に設けられ、係合筒部３３は、注出筒１０の内周面に当接して注出口を密閉する。
【００２２】
第２歯部３６は、図１（ｂ）、図３に示されるように、開栓時にキャップＣをねじ解放方向に回転させたとき、第１歯部１４の第１係合面１６に係合する略径方向の第２係合面３８を有する先端係合部３７と、係合筒部３３の内周面から螺脱方向に傾斜して延びる先端係合部３７より薄肉の腕部３９を備えている。
図３（ｃ）に示すように、第２係合面３８の径方向高さｈ２は、第１係合面１６の径方向高さｈ１と同じか、それより高く（ｈ２≧ｈ１）設定されている。
【００２３】
第２歯部３６は、図３（ｂ）に示されるように、開栓時にそれぞれの先端係合部３７の第２係合面３８が第１歯部１４の第１係合面１６に当接し、薄肉弱化部１１を破断可能な回転力を伝えることができる程度の強度と、図３（ａ）に示されるように、キャップＣの締め込み時に第１歯部１４を乗り越えることができる程度の可撓性を有する部材からなっている。
【００２４】
ねじ筒部３４は、内周に中栓Ｂの雄ねじ２０に螺合する雌ねじ４０が設けられ、下端面には、ストッパー２２に係合するくさび状凹部４１が周方向に形成されている。
【００２５】
外周壁３１の外周面にはローレット４２が形成されている。
【００２６】
次に、本実施例の使用態様と作用効果について説明する。
まず、本実施例の抜栓キャップを容器本体Ａに装着するには、中栓ＢにキャップＣを螺合して締め込み、中栓ＢとキャップＣを組み立ててから口部１に中栓Ｂの嵌合筒部４を当てがって上部から打栓する。
中栓Ｂの雄ねじ２０にキャップＣの雌ねじ４０を螺合して締め込む際には、図３（ａ）に示すように、キャップＣが矢印Ｒ方向に回転し、第２歯部３６は非係合面１７に乗り上げ、第１歯部１４を乗り越えて、キャップＣの回転を許容する。
【００２７】
キャップＣが螺合によって下降していくと、係着部３２の第２係合突部３５が係合部１３の第１係合突部１５に当接するようになり、さらに下降することにより、第２係合突部３５が第１係合突部１５を乗り越えて、係合部１３の内周面に嵌合するようになる。
同時に、中栓Ｂの上壁７のストッパー２２が、キャップＣのねじ筒部３４のくさび状凹部４１に嵌合し、両ねじの締結が完了する。
【００２８】
雄ねじ２０と雌ねじ４０の締結が完了したとき、ラチェット機構は、図１（ａ）に示すセット状態、すなわち、第２歯部３６の第２係合面３８と反対側の腕部３９が、第１歯部１４の非係合面１７に当接ないしは当接寸前の状態にセットされるように設定されている。
このように設定されていることによって、キャップＣがセット状態（締結状態）から容易に回動することはなく、わずかな衝撃によって不用意に開栓することを防ぐことができる。
また、セット状態では、キャップＣの係合筒部３３の外周面は注出筒１０の内周面に当接して密封する。
【００２９】
次に、本実施例の抜栓キャップが打栓され装着された容器を使用するには、キャップＣを、螺脱方向の図３（ｂ）における矢印Ｌ方向に回転させる。
前述したとおり、キャップＣの回動開始時は、第２歯部３６の第２係合面３８が第１歯部１４の第１係合面１６に当接し、キャップＣの回転力がラチェット機構を介して移行栓体１２に加わるようになる。
【００３０】
このとき、係着部３２の第２係合突部３５が係合部１３の第１係合突部１５を乗り越えた内周面に緊密に嵌合しているので、係合部１３を内側から補強してキャップＣの回転力がラチェット機構を介して移行栓体１２に伝わりやすくなっているとともに、ねじの回転に伴って移行栓体１２を上方に引き上げる力を発生させる。
キャップＣの回転が進むと、移行栓体１２に加わる回転力と引き上げ力により、ついには薄肉弱化部１１が破断して注出口が開栓され、注出筒１０から分離された移行栓体１２は係合部１３に係合する係着部３２によって引き上げられてキャップＣとともに上昇していく。
【００３１】
係合筒部３３が注出筒１０の内周面から離れ、雌ねじ４０が雄ねじ２０から螺脱してキャップＣを中栓Ｂから離脱すれば、キャップＣとともに移行栓体１２が除去された注出筒１０の開口から容器内の内容物を注出することができる。
移行栓体１２の底壁１９の突部形状が逆円錐形状であるから、内容物（内容液）は、逆円錐形状の中心部から速やかに落下し、容器内部に回収されるので、開栓の際にキャップ内外を汚すことがない。
【００３２】
容器を使用した後、再度キャップＣを中栓Ｂに装着する際には、移行栓体１２の突部形状の底壁１９によって、中栓Ｂの注出筒１０の開口に導かれ、さらに、移行栓体１２の側面部１８によって、注出筒１０の内周面に付着した内容物が掻き落とされ、注出筒１０の内周面を清潔に保つことができる。
【００３３】
本実施例の抜栓キャップは、ラチェット機構によって、キャップをねじの解放方向に回動するだけで簡単に開栓することができ、不用意な開栓を防ぐことができる。
【００３４】
なお、本実施例では、ラチェット機構によって、ねじの開放方向に回転することによって、薄肉弱化部１１を破断して移行栓体１２を中栓Ｂ側からキャップＣ側に移行させるものであるが、ラチェット機構は必須ではなく、ねじの開放方向への回転等によって、中栓と移行栓体の嵌合による連結を外して、移行栓体を中栓側からキャップ側に移行させる方法などを採用することも可能である。
また、ねじによるものでなくても、例えば、特開２００７−１４５３７０号公報のように、アンダーカット嵌合で、キャップを回動させることで中栓から外されるような抜栓キャップの構成でもよい。
さらに、本実施例では、キャップは、ねじによって中栓と着脱するものであるが、例えば、特開２０１５−２２１６９０号公報のように、キャップはヒンジを介して中栓に連設して開閉するものであっても構わない。
【実施例２】
【００３５】
次に、移行栓体の底壁下面の突部形状を逆円錐形状からドーム形状に変更した第２実施例について説明する。
以下、第１実施例と同一の構成部分には同一の符号を付し、異なる構成部分のみ異なる符号を付して相違点を中心に説明する。
【００３６】
図４に示すように、本実施例の抜栓キャップでは、中栓Ｂの移行栓体１１２の底壁１１９の突部形状が周縁から中心に向けて膨出するドーム形状となる以外はすべて同一である。
移行栓体１１２の底壁１１９がドーム形状であるため、第１実施例の逆円錐形状と同様に、固形物等の付着がしにくく、内容物（内容液）を容易に回収しやすくできるとともに、さらに、開栓の際に、ねじ回転によって、内容物が底壁１１９から振り落とされるため、注出の際に、キャップ内外を汚すことがない。
その他の構成は、第１実施例と同様であり、同様の作用効果を奏する。
【産業上の利用可能性】
【００３７】
本発明の抜栓キャップは、移行栓体の底壁を突部形状とすることによって、移行栓体の底壁への内容物の付着を防止することができ、開栓したときに、底壁からキャップ内外を汚すことがなく、また、閉栓時に、移行栓体の側面部によって、注出筒に付着した内容物を掻き落とすことによって、注出筒から内容物によるキャップ内外を汚すことがなく清潔に使用することができる。
さらに、移行栓体の突部形状の底壁は、キャップを閉じる際の案内部材としての役割を果たすことがでる。
とくに、内容物が粘稠物であったり、また、分離状態の内容物を、容器をよく振ってから開栓して使用する飲食品や調味料などの容器用の抜栓キャップとして好適である。
【符号の説明】
【００３８】
Ａ            容器本体
Ｂ            中栓
Ｃ            キャップ
１            口部
２            係止突条
４            嵌合筒部
５            外筒
６            内筒
７            上壁
８            ねじ壁部
９            段部
１０            注出筒
１１            薄肉弱化部
１２、１１２    移行栓体
１３            係合部
１４            第１歯部
１５            第１係合突部
１６            第１係合面
１７            非係合面
１８            側面部
１９、１１９    底壁
２０            雄ねじ
２１            補強リブ
２２            ストッパー
３０            頂壁
３１            外周壁
３２            係着部
３３            係合筒部
３４            ねじ筒部
３５            第２係合突部
３６            第２歯部
３７            先端係合部
３８            第２係合面
３９            腕部
４０            雌ねじ
４１            くさび状凹部
４２            ローレット
【図１】
2018002224.tif 000003
【図２】
2018002224.tif 000004
【図３】
2018002224.tif 000005
【図４】
2018002224.tif 000006